(57)【要約】      （修正有）【課題】紙幣を数えたり、レジ袋を開いたりする際の作業効率を衛生的に向上させることが可能な指先湿潤器を提供する。【解決手段】指先湿潤器１００は、筐体としての本体１と、指先を感知するための感知センサ２と、感知センサ２からの情報を基に噴霧機構を制御する制御手段と、制御手段により制御され、液体を噴霧するための噴霧機構と、液体の噴霧量を調整する噴霧調整機構と、液体を溜める液体タンクと、を備える。【選択図】図１
2020026098.tif 000002
【特許請求の範囲】
【請求項１】
筐体としての本体と、
指先を感知するための感知センサと、
噴霧する液体を溜める液体タンクと、
液体タンクと接続され、且つ、当該液体タンク内の液体を噴霧する噴霧機構と、
前記感知センサからの情報に基づいて前記噴霧機構を制御する制御手段と、
前記噴霧機構に備えられた噴出ノズルに連結される箱体であり、且つ、前記液体の噴霧量を調整する噴霧調整機構と、
を備えたことを特徴とする指先湿潤器。
【請求項２】
前記本体上部に配置され、且つ、指の幅１本分から２本分までが入るよう構成された切欠き状の指先挿入部を備えたことを特徴とする請求項１に記載の指先湿潤器。
【請求項３】
前記本体上部に配置される一対の板状体であり、当該一対の板状体の各板の距離は指の幅１本分から２本分までが入る長さであるよう構成される指先挿入部を備えたことを特徴とする請求項１に記載の指先湿潤器。
【請求項４】
前記本体上部に開口部として配置され、且つ、当該開口部の高さは、指の厚みの２倍から３倍程度である指先挿入部を備えたことを特徴とする請求項１に記載の指先湿潤器。
【請求項５】
前記本体上部に立設する感知センサ支持部を備え、
前記感知センサ支持部の先端および前記本体上部により形成される指先挿入部の高さが、指の厚みの２倍から３倍程度であることを特徴とする請求項１に記載の指先湿潤器。
【請求項６】
前記噴霧調整機構は、歪んだ階段状の箱体であることを特徴とする請求項１乃至５に記載の指先湿潤器。
【発明の詳細な説明】
【技術分野】
【０００１】
本発明は、紙幣を数える又はレジ袋を開く際に、指先を湿潤させることにより作業効率の向上を図る指先湿潤器に関するものである。
【背景技術】
【０００２】
従来より、紙幣を数えたり、レジ袋を開いたりする際の作業効率を上げるため、水分を含ませた事務用スポンジ（切手濡らし）や濡れた布巾等を用いて指先を湿らせる手段が採られてきた。しかし、常時濡れた状態にあるスポンジや布巾等は雑菌が繁殖し易く、また、不特定多数の者が直接指先で触れて使用する点においても大変不衛生な手段であった。そこで、係る問題点を解決するために特許文献１に記載の発明が公開されている。
【先行技術文献】
【特許文献】
【０００３】
【特許文献１】特開２０１７−１４９１２５
【発明の概要】
【発明が解決しようとする課題】
【０００４】
特許文献１に記載の指先加湿器は、ユーザーが指先をかざすことにより、感知センサがこれを感知し、液体タンク部に入れられた液体を噴霧する発明である。しかしながら、特許文献１に記載の指先加湿器では、感知センサが指先加湿器の上方の広範囲に向けて配置されていることにより、ユーザーの指先以外、例えば袋や紙幣その他の物が指先加湿器の上方を通過した際にも感知センサに反応し、液体を噴霧してしまうという問題点があった。また、噴霧口が絞られていないため、ユーザーが必要としている量以上の液体を噴霧してしまうという問題点もあった。本発明は、係る問題点に鑑みてなされたものである。
【課題を解決するための手段】
【０００５】
本願発明に係る指先湿潤器は、筐体としての本体と、指先を感知するための感知センサと、噴霧する液体を溜める液体タンクと、液体タンクと接続され、且つ、当該液体タンク内の液体を噴霧する噴霧機構と、前記感知センサからの情報に基づいて前記噴霧機構を制御する制御手段と、前記噴霧機構に備えられた噴出ノズルに連結される箱体であり、且つ、前記液体の噴霧量を調整する噴霧調整機構と、を備えたことを特徴とする。
【０００６】
また、前記発明において、本願発明に係る指先湿潤器は、前記本体上部に配置され、且つ、指の幅１本分から２本分までが入るよう構成された切欠き状の指先挿入部を備えたことを特徴とする。
【０００７】
また、前記発明において、本願発明に係る指先湿潤器は、前記本体上部に配置される一対の板状体であり、当該一対の板状体の各板の距離は指の幅１本分から２本分までが入る長さであるよう構成される指先挿入部を備えたことを特徴とする。
【０００８】
また、前記発明において、本願発明に係る指先湿潤器は、前記本体上部に開口部として配置され、且つ、当該開口部の高さは、指の厚みの２倍から３倍程度である指先挿入部を備えたことを特徴とする。
【０００９】
また、前記発明において、本願発明に係る指先湿潤器は、前記本体上部に立設する感知センサ支持部を備え、前記感知センサ支持部の先端および前記本体上部により形成される指先挿入部の高さが、指の厚みの２倍から３倍程度であることを特徴とする。
【００１０】
また、前記発明において、本願発明に係る指先湿潤器は、前記噴霧調整機構は、歪んだ階段状の箱体であることを特徴とする。
【図面の簡単な説明】
【００１１】
【図１】実施の形態１に係る指先湿潤器１００の構成図である。
【図２】実施の形態１に係る指先湿潤器１００の内部概略図である。
【図３】実施の形態１に係る指先湿潤器１００の変形例１５０を示す図である。
【図４】実施の形態２に係る指先湿潤器２００の構成図である。
【図５】実施の形態２に係る指先湿潤器２００の使用法を示す図である。
【図６】実施の形態２に係る指先湿潤器２００の変形例２５０を示す図である。
【図７】本願発明に係る噴霧機構の概略図である。
【図８】本願発明に係る噴霧調整機構の構成図である。
【図９】本願発明に係る噴霧調整機構の概略図である。
【図１０】本願発明に係る指先湿潤器の制御回路ブロック図である。
【図１１】実施の形態２に係る指先湿潤器２００の変形例２６０及び変形例２７０を示す図である。
【図１２】実施の形態２に係る指先湿潤器２００の変形例２８０を示す図である。
【発明を実施するための形態】
【００１２】
（実施の形態１）
図１は、実施の形態１に係る指先湿潤器１００の構成図である。図２は、実施の形態１に係る指先湿潤器１００の内部概略図である。本発明に係る指先湿潤器１００は、筐体としての本体１と、指先Ｆを感知するための感知センサ２と、液体を噴霧するための噴霧機構３と、制御手段４と、噴霧量を調整するための噴霧調整機構５と、液体を溜める液体タンク６と、感知センサ２および噴霧機構３を駆動するための電源７と、を備える。
【００１３】
本体１は略円柱状であり、内部に前記噴霧機構等を配置するための空間を備える。本体１上面の正面方向の一部及び正面の上面方向の一部に掛かるよう切欠き状に指先挿入部１０が設けられる。指先挿入部１０の底辺部には噴霧口１１が配置され、片側側面部１ａには感知センサ２が配置される。指先挿入部１０の幅は指の幅１本分から２本分までが入る長さであり、奥行きは指の先端から第二関節までが入る長さであり、高さは指の厚みの２倍から３倍程度である。詳細には、指先挿入部１０の幅は２０ｍｍ以上５０ｍｍ以下であり、奥行きは３０ｍｍ以上６０ｍｍ以下であり、高さは２０ｍｍ以上４０ｍｍ以下である。また、前記噴霧口１１の周囲近傍の前後の位置には、ガイド部１２が立設して配置される。前記ガイド部１２は、ユーザーの指先をかざす場所を正確に示すことに加え、ユーザーの指等が直接噴霧口へ触れるのを防ぐ効果を奏す。本体１の素材としては、合成樹脂、木材または金属等が採用できる。また、本体の形状は円柱状のほか、多角柱、星形または楕円形等も採用できる。
【００１４】
感知センサ２は、赤外線センサを採用し、前記指先挿入部１０の片側側面部１ａに配置される。すなわち、感知センサ２が配置される片側側面部１ａと反対側側面部１ｂとを結ぶ水平方向を検知するよう配置される。感知センサ２は、これに限られるものではなく、人感センサ、超音波センサ、遮光検知センサまたは明暗検知センサ等も採用できる。
【００１５】
噴霧機構３は、アクチュエータ３０、カム３１、加圧器３２および噴出ノズル３３を備えた圧力噴出方式を採用する。噴霧機構３の方式はこれに限られるものではなく、超音波振動方式、加熱方式、気化方式またはこれらを複数組み合わせた方式等も採用できる。
【００１６】
図１０は、本願発明に係る指先湿潤器の制御回路ブロック図である。指先湿潤器１００は、制御手段４（図示省略）を備え、当該制御手段４には制御回路が搭載される。前記感知センサ２からの情報が制御回路に入力され、当該制御回路によってアクチュエータ３０が制御されることにより、液体が噴霧される。詳細には、まず、感知センサ２からの情報が制御回路に入力され、当該制御回路の制御によりアクチュエータ３０が作動する。次いで、当該アクチュエータ３０に連結されたカム３１が回転することにより加圧器３２が押圧され、当該加圧器３２に繋がれた液体タンク６内の液体が加圧される。そして、当該圧力により液体が噴出ノズル３３から噴出する。
【００１７】
図７は、本願発明に係る噴霧機構の概略図である。前記アクチュエータ３０と前記カム３１との連結箇所を変更することにより、カム３１による加圧器３２への押圧力を変更することが可能である。詳細には、軸ａを用いた場合には押圧力が高くなり（図７（ｂ））、軸ｂを用いた場合には押圧力が低くなる（図７（ｃ））。これにより、噴出ノズル３３からの液体の噴出量および噴出力を調整することができる。
【００１８】
噴出ノズル３３は、液体タンク６に連結されるよう配置され、その先端は、一般的なトリガー式霧吹きの先端ノズルと同様に絞ることが可能であり、これにより噴出ノズル３３から噴出される液体の粒子の大きさを調整することが可能である。また、噴出ノズル３３は、角度が変えられるよう配置されており、後述する噴霧調整機構５内への液体の噴出角度を調整することができる。
【００１９】
図８は、本願発明に係る噴霧調整機構５の構成図である。図９は、本願発明に係る噴霧調整機構５の概略図である。噴霧調整機構５は、全体が歪んだ階段状の箱体である。噴霧調整機構５の先端上部には噴霧口１１が設けられ、根元上部は前記噴出ノズル３３と連結されている。そして、噴霧調整機構５の根本下部は逆止弁５０を介して液体タンク６に繋げられる。前記噴霧口１１は指の先端から第一関節の長さよりも小さな矩形スリット状であり、例えば、縦の長さが５ｍｍ以上２０ｍｍ以下、横の長さが２ｍｍ以上７ｍｍ以下の矩形スリット状である。前記噴霧口１１は矩形スリット状のほかに円形、楕円形、多角形、星型等も採用でき、これらの形状の単数、複数又は複数の形状の組み合わせにより構成される。前記噴霧口１１が、指の先端から第一関節の長さよりも小さく構成されていることにより、指先Fのみを的確に湿潤させることができる。
【００２０】
噴出ノズル３３から噴出された液体の粒子は、噴霧調整機構５内を通過する過程において３つの粒子に分かれる。すなわち、噴霧調整機構内５の壁面ｗに接触する粒子、他の粒子と結合して噴出時よりも直径が大きくなり噴霧口１１に達さない粒子、又は、壁面ｗに接触せず且つ他の粒子とも結合していない粒子である。従って、噴霧口１１より噴霧される液体の粒子は、壁面ｗに接触せず且つ他の粒子とも結合していない粒子のみで構成される。
【００２１】
噴霧調整機構５内の壁面ｗに接触した粒子、及び、他の粒子と結合して噴出時よりも直径が大きくなり噴霧口１１に達さない粒子は、噴霧調整機構５内の排水部５１を通り液体タンク６へ戻る。噴出ノズル３３の噴霧調整機構５内への液体の噴出角度を変更することにより、前記３つの粒子の割合が変更される。詳細には、図９（ａ）（ｃ）に示すように、噴霧調整機構５内の壁面ｗに向かって液体を噴出した場合には、前記壁面に接触する粒子の割合が増えるため、噴霧口１１からの液体の噴霧量はより少なくなる。一方、図９（ｂ）に示すように、噴霧口１１へ向かって液体を噴出した場合には、前記壁面ｗに接触せず且つ他の粒子とも結合していない粒子の割合が増えるため、噴霧口１１からの液体の噴霧量はより多くなる。すなわち、噴霧調整機構を採用することで、最終的に噴霧口１１から噴霧される液体の量を調整することができる。噴霧調整機構５により、噴霧口１１から噴霧される液体の量および粒子の大きさ（液体の質）が調整可能であるため、ユーザーは指先の湿り具合を任意に設定することができる。
【００２２】
また、噴霧調整機構５の形状は歪んだ階段状に限られるものではなく、円柱形、直方体、円錐形またはひょうたん型等の箱体も採用できる。
【００２３】
液体タンク６は、略円柱形であり、加圧器３２および噴出ノズル３３と繋がるよう本体１の内側下部に配置される。液体タンク６の素材は、合成樹脂または金属を採用でき、また、形状は多角柱、星形または楕円形等も採用できる。
【００２４】
感知センサ２および噴霧機構３を駆動するための電源７は、２本の電池を用いる。感知センサ２は、電源７から給電を受けて常に作動可能な状態にされている。また、制御回路は、電源７から給電を受けてアクチュエータ３０に駆動電力を供給可能な状態にされている。電源７は、電池のほかに、家庭用電源、ＵＳＢ電源、太陽電池等を設置場所に合わせ適宜採用できる。
【００２５】
次に、指先湿潤器１００の使用方法について述べる。まず、ユーザーは任意の指を指先挿入部１０に挿入する。このとき、ユーザーは噴霧口１１等に直接触れる必要はない。次いで、指先挿入部１０に指が挿入されると、感知センサ２がこれを感知し、その情報が制御回路に入力される。そして、制御回路によりアクチュエータ３０が制御され、液体タンク６内の液体が加圧されることにより、噴霧口１１からユーザーの指先Ｆへ向かって任意の量および質の液体が噴霧される。
【００２６】
以上、指先湿潤器１００によれば、紙幣を数えたり、レジ袋を開いたりする際の作業効率の向上を衛生的に図ることができる。すなわち、ユーザーが指先を湿らせる過程において、一度も指先湿潤器１００に触れる必要がないため、非常に衛生的に作業を行うことができる。また、不特定多数の者が直接触れないことにより、指先湿潤器１００への雑菌等の付着も抑えることができる。
【００２７】
また、噴霧調整機構５により、噴霧される液体の量および質が任意に設定可能なため、必要最小限の湿り気を指先に与えることが可能である。詳細には、紙幣を数えたり、レジ袋を開いたりする際には、指先の湿り気は極わずかで足りる。換言すれば、作業を終えた後にも指先が湿っているようでは噴霧量が多過ぎ、その湿り気を拭うための工程が増え、かえって作業効率が低下してしまう。指先湿潤器１００によれば、作業終了後には指先に湿り気を残さない、適量な液体の噴霧が可能である。
【００２８】
また、指先挿入部１０の形状により、ユーザーの指以外の物は指先挿入部１０に入り難くいため、ユーザーの指のみを確実に感知し噴霧を行うことができる。これにより、意図しない無駄な噴霧を防ぐことができる。
【００２９】
図３は、実施の形態１に係る指先湿潤器１００の変形例１５０を示す図である。指先湿潤器１５０は、実施の形態１に係る指先湿潤器１００の変形例である。同じ構成要素については同一の番号を付し説明は省略する。図３に示すように、指先湿潤器１５０において、前記指先挿入部１０ａは、噴霧口１１の左右近傍に立設した一対の板状体であり、片側側面部１ａおよび反対側側面部１ｂにより形成される。片側側面部１ａおよび反対側側面部１ｂとの距離は、指の幅１本分から２本分までが入る長さである。詳細には、指先挿入部１０の幅は２０ｍｍ以上５０ｍｍ以下である。そのため、ユーザーの指以外の物は指先挿入部１０ａに入り難く、ユーザーの指のみを確実に感知することができるため、指先湿潤器１５０の構成においても、実施の形態１に係る指先湿潤器１００と同様の効果を奏する。
【００３０】
（実施の形態２）
図４は、実施の形態２に係る指先湿潤器２００の構成図である。図５は、実施の形態２に係る指先湿潤器２００の使用法を示す図である。指先湿潤器２００は、実施の形態１と本体（指先挿入部）の形状および感知センサの配置箇所が異なる。その他の点については、実施の形態１と同様であるため、対応する番号を付し説明は省略する。
【００３１】
本体２０１は多角柱形状であり、内部に前記噴霧機構５等を配置するための空間を備える。本体２０１上部は開口しており、本体上面が開口部上部を覆う蓋のように配置される。本体の正面側且つ指先挿入部２１０の底辺部には噴霧口１１が配置され、当該噴霧口１１の上部に位置する本体上面内側には感知センサ２０２が配置される。指先挿入部２１０の開口幅および奥行きは、本体２０１の幅および奥行きとほぼ同一であり、高さは指の厚みの２倍から３倍程度である。例えば、指先挿入部２１０の開口幅は５０ｍｍ以上７０ｍｍ以下であり、奥行きは５０ｍｍ以上７０ｍｍ以下であり、高さは２０ｍｍ以上４０ｍｍ以下である。本体２０１の素材としては、合成樹脂、木材または金属等が採用できる。また、本体２０１の形状は多角柱のほか、円柱、星形または楕円形等も採用できる。
【００３２】
感知センサ２０２は、赤外線センサを採用し、前記噴霧口１１の上部に位置する本体上面内側（前記指先挿入部２１０の上面内側）に配置される。すなわち、感知センサ２０２と噴霧口１１とを結ぶ垂直方向を感知するよう配置される。感知センサ２０２は、これに限られるものではなく、人感センサ、超音波センサ、遮光検知センサまたは明暗検知センサ等も採用できる。
【００３３】
指先湿潤器２００によれば、実施の形態１と同様の効果を得られると共に、開口部が広く設定されていることにより、ユーザーは、指先湿潤器２００の正面方向からのみではなく、斜め横方向からも指先を噴霧口１１付近へかざすことが可能となり取扱性が向上する。
【００３４】
図６は、実施の形態２に係る指先湿潤器２００の変形例２５０を示す図である。指先湿潤器２５０は、実施の形態２に係る指先湿潤器２００の変形例である。同じ構成要素については同一の番号を付し説明は省略する。指先湿潤器２５０において、前記本体２０１の上部に立設するようＬ字型の感知センサ支持部２０３が設けられる。当該感知センサ支持部２０３は、例えば鳥の嘴形状である（図６）。感知センサ２０２は、感知センサ支持部２０３の先端であって、感知センサ２０２と噴霧口１１とを結ぶ垂直方向を感知するよう配置される。感知センサ支持部２０３により、指先挿入部２１０ａが形成される。当該指先挿入部２１０ａの高さ、すなわち、感知センサ支持部２０３の先端から噴霧口１１又は本体２０１の上部までの高さは、指の厚みの２倍から３倍程度、又は、２０ｍｍ以上４０ｍｍ未満であるため、ユーザーの指以外の物は指先挿入部２１０ａに入り難くい。従って、指先湿潤器２５０は、ユーザーの指のみを確実に感知でき、斜め横方向からも指先を噴霧口１１付近へかざすことができるので、実施の形態２に係る指先湿潤器２００と同様の効果を奏する。
【００３５】
図１１は、実施の形態２に係る指先湿潤器２００の変形例２６０（図１１（ａ）（ｂ））及び変形例２７０（図１１（ｃ））を示す図である。図１２は、実施の形態２に係る指先湿潤器２００の変形例２８０を示す図である。指先湿潤器２６０は、実施の形態２に係る指先湿潤器２００の変形例である。指先湿潤器２６０は、壁面に設置されることを想定しているため、本体２０１の奥行がより薄い構成となっている。指先湿潤器２６０において、指先挿入部２１０ｂは、幅が指１本から２本までが入る長さ、又は、２０ｍｍ以上５０ｍｍ以下である。また、指先挿入部２１０ｂの高さは、指の厚みの２倍から３倍程度、又は、２０ｍｍ以上４０ｍｍ以下である。そのため、指先湿潤器２６０は、実施の形態２に係る指先湿潤器２００と同様の効果をそうすると共に、壁面への設置が容易である効果も奏する。
【００３６】
指先湿潤器２７０は、実施の形態２に係る指先湿潤器２００の変形例である。指先湿潤器２７０は、隙間に設置されることを想定しているため、本体２０１の幅がより狭い構成となっている。指先挿入部２１０bの形状は指先湿潤器２６０と同様であるため、指先湿潤器２７０は、実施の形態２に係る指先湿潤器２００と同様の効果を奏すると共に、隙間への設置が容易である効果も奏する。
【００３７】
指先湿潤器２８０は、実施の形態２に係る指先湿潤器２００の変形例である。指先湿潤器２
８０は、スーパー等に置かれているロール式ビニール袋ＢのホルダーＨ等に設置されることを想定しているため、本体３０１の高さがより低い構成となっており、ホルダーＨへの接続部３０１ａを備える。指先挿入部２１０の形状は指先湿潤器２００と同様であるため、指先湿潤器２８０は、実施の形態２に係る指先湿潤器２００と同様の効果を奏すると共に、ロール式ビニール袋ホルダーＨ等への設置が容易である効果も奏する。
【符号の説明】
【００３８】
１  本体
２  感知センサ
３  噴霧機構
４  制御手段
５  噴霧調整機構
６  液体タンク
７  電源
１００  指先湿潤器
【図１】
2020026098.tif 000003
【図２】
2020026098.tif 000004
【図３】
2020026098.tif 000005
【図４】
2020026098.tif 000006
【図５】
2020026098.tif 000007
【図６】
2020026098.tif 000008
【図７】
2020026098.tif 000009
【図８】
2020026098.tif 000010
【図９】
2020026098.tif 000011
【図１０】
2020026098.tif 000012
【図１１】
2020026098.tif 000013
【図１２】
2020026098.tif 000014